(57)【特許請求の範囲】
【請求項１】
印刷技術機械の電力消費部に電力を出力する方法において、
種々の電流回路（２３，２６，２８，３０，３２）において動作する電力消費部（１０−１２，１３−２０，２２）の複数のグループに電流供給するための回路装置（２４，２７，２９，３１，３３）に、時間推移に依存した調整信号を出力することによって、作業運転とスタンバイ運転との間で電力出力を切り換え、
ただし、複数の前記グループは、前記スタンバイ運転後に前記作業運転に達するまでの立ち上がり時間が種々異なっており、前記グループにはそれぞれ１つの非活動期間（ｔ１−ｔ０，ｔ２−ｔ１，ｔ３−ｔ２）が対応付けられ、
前記作業運転の機械動作が第１の時点（ｔ０）において実施完了した後に、該機械が非活動状態である場合には、最も短い立ち上がり時間を有するグループへの電力出力を最初に且つ少なくとも第１の非活動期間（ｔ１−ｔ０）に亘って停止し、グループの立ち上がり時間が長くなっていく順に、さらなるグループへの電力出力を、それぞれ非活動状態である場合には、各非活動期間の経過後に停止していき、
前記電力消費部（１０−１２，１３−２０，２２）の最後のグループへの電力出力を停止した後、前記作業運転時に機械を制御するコンピュータ（３５）への電力出力は維持しておき、
前記電力消費部（１０−１２，１３−２０，２２）の全てのグループのうち、前記第１の非活動期間（ｔ１−ｔ０）において電力出力を維持されていたグループへの電力出力を、所定の時点（ｔ４）に自動的に開始させ、
前記第１の時点（ｔ０）及び前記所定の時点（ｔ４）に供給する電力（ＰＬ）を、操作者入力に基づいて前記機械が機械動作を実施するために作業運転に切り換わることができるために必要とされる平均的な電力に定める、
ことを特徴とする方法。
【請求項２】
前記さらなるグループの電力消費部（１０−１２，１３−２０，２２）は、２分より長い立ち上がり時間で、前記スタンバイ運転から前記作業運転へと移行する、
ことを特徴とする請求項１記載の方法。
【請求項３】
前記非活動期間（ｔ１−ｔ０，ｔ２−ｔ１，ｔ３−ｔ２）のうちの少なくとも１つは、前記機械の操作者によって自由に設定可能に調整される、
ことを特徴とする請求項１記載の方法。
【発明の詳細な説明】
【技術分野】
【０００１】
本発明は、印刷技術機械の電力消費部へ電力を出力する方法に関し、この方法では、印刷技術機械のスタンバイ運転と作業運転との間で電力出力が切り換えられる。
【０００２】
例えば印刷機械、穴開け機、紙加工機、または製本機等のような印刷技術機械を運転させるために、例えば電気モータ、電気機械式アクチュエータ、加熱・冷却機器、測定・制御・調整装置等のような電力消費部に、電流が供給される。電力消費部への電力出力は、機械の作業運転のために必要な全ての運転プロセスが確実に進行できるように定められている。機械の運転中には、電力出力は、電力消費部の電力需要と個数とに応じて変動する。
【背景技術】
【０００３】
作業運転中に必要とされない電力消費部への電力供給を一時的にオフすることが公知である。このオフは、複数の電力消費部がそれぞれ異なる電流回路に配置されており、各電流回路に１つのスイッチング要素が割り当てられている場合に可能である。エネルギコストを低減するために、比較的長い間使用されない場合に機械をスタンバイ運転に移行させることが公知である。
【０００４】
スタンバイ運転中には、機械の電力消費量は、該機械がいつでも迅速に再び作業運転へと移行できる程度に低減されている。スタンバイ運転中には一連の電力消費部にまだ電流が供給され、この電流がいわゆるアイドリング損失をもたらす。
【０００５】
ドイツ連邦共和国特許公開公報第４４３７７３５号には、エネルギ節約機能を備えた印刷機械が記載されており、ここでは、所定の期間が経過した後に自動的に第１エネルギ節約運転モードがトリガされ、操作者入力に基づいて第２エネルギ節約運転モードがトリガされる。第１エネルギ節約運転モードにおいては、とりわけ、電力消費量の大きい電力消費部への電流供給がオフされる。第２エネルギ節約運転モードにおいては、付加的に電力消費量の小さい電力消費部への電流供給がオフされ、これにより操作者入力によってエネルギコストを低減することができる。この印刷機械は、エネルギ使用の点から最適化されたものであり、立ち上がり時間が長くなるのは容認され、したがって印刷機械の使用性は低減されている。
【０００６】
米国特許公報第８０２６６８１号からは、印刷機械の主駆動装置を制動するための冗長的に構成された電気ブレーキを使用する装置が公知であり、ここでは、ブレーキが発電機として駆動する場合に、有利には電気エネルギが蓄えられ、別の負荷によって使用することができる。
【先行技術文献】
【特許文献】
【０００７】
【特許文献１】ドイツ連邦共和国特許公開公報第４４３７７３５号
【特許文献２】米国特許公報第８０２６６８１号
【発明の概要】
【発明が解決しようとする課題】
【０００８】
本発明の課題は、印刷技術機械の電力消費部へ電力を出力する方法を発展させ、僅かなアイドリング損失で、機械の使用性を向上させることである。
【課題を解決するための手段】
【０００９】
この課題は請求項１の特徴を有する方法によって解決され、本発明の有利な構成は従属請求項に記載されている。
【００１０】
本発明によれば、それぞれ異なる電流回路に配置された、種々の立ち上がり時間を有する印刷技術機械の電力消費部のグループに、電流が供給される。電力消費部の各グループには、それぞれ１つの非活動期間が対応付けられる。作業運転において機械動作が実施完了した後に、機械が非活動状態である場合には、最も短い立ち上がり時間を有するグループへの電力出力を最初に停止し、グループの立ち上がり時間が長くなっていく順に、さらなるグループへの電力出力を、それぞれ非活動状態である場合には、各非活動期間の経過後に停止していく。電力消費部の最後のグループへの電力出力を停止した後、作業運転時に機械を制御するコンピュータへの電力出力は維持される。
【００１１】
本発明によれば、インテリジェントなスタンバイないし準備運転が可能となるので、エネルギコストを節約し、機器の高い使用性を獲得することができる。電力消費部の非活性化を、該電力消費部の電力消費量のみに従って行うわけではなく、種々異なる立ち上がり時間を考慮することにより、使用性が改善される。例えば、空気圧システムにおいて圧力上昇を生じさせる電力消費部、または、表面処理用のシステムにおいて冷却または加熱を行う電力消費部の立ち上がり時間を考慮すると、機器をスタンバイ運転から作業運転へと迅速に移行させることができる。
【００１２】
本発明を以下、実施例に基づいて詳細に説明する。
【図面の簡単な説明】
【００１３】
【図１】図１は、印刷機械の電流供給図である。
【図２】図２は、印刷機械の電力消費量の時間推移を示す線図である。
【実施例】
【００１４】
図１は、４つの印刷機構１〜４と、給紙装置５、排紙装置６とを備える印刷機械を図示している。印刷機構１〜４のドラム７およびシリンダ８は、ギアトレーン９を介して互いに結合されている。ドラム７およびシリンダ８を駆動するために、電気モータ１０が使用される。給紙装置５および排紙装置６内の、ドラムおよび枚葉紙パイルエレベータは、別個の電気モータ１１，１２によって駆動される。印刷機構１〜４内には、例えば補助モータ１３〜１６および電気機械式アクチュエータ１７〜２０等のような多数の電力消費部が存在している。排紙装置内には、加熱コイル２２を備えた乾燥機２１が配置されている。
【００１５】
印刷機械の電力消費部はグループ分けされており、種々の電流回路を介して給電される。電気モータ１０，１２は、第１回路２３内にある電力消費部の第１グループを形成しており、第１回路２３は、第１スイッチングエレメント２４によって給電ユニット２５から分離することができる。モータ１１は、回路２６内に配置された電力消費部の第２グループに属しており、この電力消費部は、第２スイッチングエレメント２７によって給電ユニット２５から分離することができる。補助モータ１３〜１６は、回路２８内にて配線されており、第３スイッチングエレメント２９によって給電ユニット２５から分離することができる。電気機械式アクチュエータ１７〜２０は、電力消費部の別グループを形成しており、回路３０内に配置されており、第４スイッチングエレメント３１によって給電ユニット２５から分離することができる。コイル２２を備える乾燥機２１は、回路３２内の電力消費部の別のグループに属しており、この乾燥機２１は、第５スイッチングエレメント３３によって給電ユニット２５から分離することができる。スイッチングエレメント２４，２７，２９，３１，３３は、リモート制御可能であり、それぞれとりわけコンピュータ３５を含む制御ユニット３４と接続されている。制御装置３４には、操作者入力のための入力装置３６が接続されている。給電ユニット２５は、交流電流網３７に接続されている。給電ユニット２５において、ネットワーク交流電圧Ｕｎが、回路２３，２６，２８，３０，３２のための供給電圧Ｕ１〜Ｕ５に変換される。電力消費部のグループは、立ち上がり特性に従って構成されている。
【００１６】
以下、図１および２に基づき、方法の実施について説明する。作業運転中、つまり印刷タスクの作業中には、印刷機械は平均的な電力消費量ＰＡを有する。時点ｔ０では印刷タスクが作業完了しており、印刷機械は作業運転からスタンバイ運転へと移行する。この時点ｔ０に、電力消費部のうちのいくつかがオフされる。例えば紙の輸送は必要ないので、スイッチングエレメント２４，２６によってモータ１０〜１２が運転停止される。この電力消費部のオフによって、電力消費量はＰＡからＰＬへと低下する。なお、ＰＬは、印刷モードをすぐに再び始動できるために必要とされる平均的な電力である。
【００１７】
所定の期間（ｔ１−ｔ０）が経過しても機械が再び印刷モードに移行しない場合には、時点ｔ１に、エネルギコスト節約の第１ステップが開始する。この第１ステップによって、例えばユニット、制御コンポーネント、ディスプレイ等のようなさらなる別の電力消費部がオフされる。
【００１８】
これは、例えば１分未満の短い立ち上がり時間ｔＨ１を有する電力消費部のグループである。このグループの電力消費部をオフすることによって、電力消費量はＰＬからＰ１へと低下する。
【００１９】
さらなる所定の期間（ｔ２−ｔ１）が経過しても機械が操作されない場合には、時点ｔ２に、エネルギコスト節約の第２ステップが開始する。この第２ステップによって、例えばユニット、制御コンポーネント等のようなさらなる別の電力消費部がオフされる。これは、例えば２分より長い立ち上がり時間ｔＨ２（但し、ｔＨ２＞ｔＨ１）を有する電力消費部のグループである。このグループの電力消費部をオフすることによって、電力消費量はＰ１からＰ２へと低下する。
【００２０】
さらなる所定の期間（ｔ３−ｔ２）が経過しても機械が操作されない場合には、時点ｔ３に、エネルギコスト節約の第３ステップが開始する。コンピュータ３５の中央ユニットを除いて、全ての電力消費部がオフされる。電力消費量Ｐ３＜Ｐ２は、最小値である。
【００２１】
時点ｔ４に、印刷機械が時間制御されて再び作動されるか、または、印刷機械が操作者入力によって再び作動されると、時点ｔ０とｔ１の間ではまだ運転していた電力消費部が全て通電される。電力消費部のグループの立ち上がり時間ｔＨｎが種々異なることによって、平均的な開始電力ＰＬに再び到達するまで比較的長い時間がかかる。
【００２２】
期間（ｔ１−ｔ０）、（ｔ２−ｔ１）、（ｔ３−ｔ２）は、機械の操作者によって自由に設定可能であるか、またはオフ可能である。さらには操作者が、入力装置３６にて直接入力することによって所期のエネルギ節約モードを選択することも可能である。どのくらいの期間機械を使用しないかが既知である場合には、所期のエネルギ節約モードを選択することができる。このプロセスは、メインスイッチの操作の代わりとなり得る。
【符号の説明】
【００２３】
１〜４  印刷機構
５  給紙装置
６  排紙装置
７  ドラム
８  シリンダ
９  ギアトレーン
１０〜１２  電気モータ
１３〜１６  補助モータ
１７〜２０  アクチュエータ
２１  乾燥機
２２  加熱コイル
２３  電流回路
２４  スイッチングエレメント
２５  給電ユニット
２６  電流回路
２７  スイッチングエレメント
２８  電流回路
２９  スイッチングエレメント
３０  電流回路
３１  スイッチングエレメント
３２  電流回路
３３  スイッチングエレメント
３４  制御装置
３５  コンピュータ
３６  入力装置
【図１】
0006460616.tif 000002
【図２】
0006460616.tif 000003